(57)【特許請求の範囲】
【請求項１】
塗膜を貼着した基材を巻き付けた供給回転体と、被転写物に塗膜を転写した後の基材を巻き取る回収回転体と、これら供給回転体と回収回転体とを収納する筐体とを有し、前記筐体の先端部には、前記塗膜を貼着した基材を該筐体外へ露出するための開口と、この開口から突出して設けられ、前記供給回転体から前記塗膜を貼着した基材を被転写物に案内すると共に、被転写物に転写した後の基材を前記回収回転体へと案内する転写案内部材と、可撓性のシート状部材でなり、前記筐体へ取り付けた部位の一方端部の取り付けを解除して開状態とされる蓋部材とを備えたことを特徴とする塗膜転写具。
【請求項２】
蓋部材は、筐体の先端部に対する取り付け部位において供給回転体及び回収回転体の回転軸に対して直交した軸で枢支されたことを特徴とする請求項１記載の塗膜転写具。
【請求項３】
蓋部材は、筐体の先端部に対する取り付け部位において供給回転体及び回収回転体の回転軸に対して平行な軸で枢支されたことを特徴とする請求項１記載の塗膜転写具。
【請求項４】
蓋部材は、長尺方向両端部においてその短尺方向の両縁部から該短尺方向の中央部に向けて移動規制切欠を形成し、一方、筐体先端部に前記移動規制切欠が嵌まる凸段部を形成したことを特徴とする請求項１乃至３のいずれかに記載の塗膜転写具。
【発明の詳細な説明】
【０００１】
【産業上の利用分野】
本発明は、基材に貼着された塗膜を、該基材ごと筐体から送り出して被転写物に該塗膜を転写する塗膜転写具にかかり、特に筐体外に露出した塗膜を覆う蓋部材に関するものである。
【０００２】
【従来の技術】
従来、筐体を被転写物に押しつけて移動させることで、一方の回転体に巻き取られた基材に貼着した塗膜を、基材ごと筐体先端の外部へと送り出し露出させて被転写物に転写し、塗膜が被転写物に転写されて剥離した基材を他方の回転体へ巻き取る塗膜転写具が知られている。このような構成の塗膜転写具においては、筐体先端の外部に露出した塗膜が意図しない被転写物に貼り付いてしまったり、また、筐体外部に露出した塗膜にごみや埃が付着して露出部分における塗膜の粘着力が低下するといった不具合があるため、近年では、筐体の塗膜露出部分に蓋を取り付けて上記の不具合を解消するようにしている。
【０００３】
【発明が解決しようとする課題】
しかしながら、従来の塗膜転写具の蓋は、例えば筐体から蓋全体が取り外される構成となっていたため、取り外した蓋を無くしてしまったり、また、付け忘れてしまうといった不具合があった。また、このような不具合を解消するものとして、蓋の一部が筐体の先端部に開閉自在に取り付けられたものもあるが、通常このような蓋は筐体と同材質（例えばプラスチック製）であるため、蓋そのもののコストが高くなったり取り付け構造が複雑化したりするなどの問題があり、また、固定形状であるために塗膜転写具自体のデザインが変更されて筐体先端部の形状が変更されると、蓋の形状も変更を余儀なくされ、結果としてこの製作にコストがかかるといった問題があった。
【０００４】
本発明は、上記した問題に鑑みて成されたものであり、蓋部材の一部が筐体に取り付けられた状態で開閉する塗膜転写具であって、例え筐体先端部の形状が変更されても汎用的に使用でき、また、製造コストが安価で、筐体外部に露出した塗膜に意図しない被転写物が貼り付いたり、ごみや埃が付着して露出部分における塗膜の粘着力が低下するといったことを確実に防止できる塗膜転写具を提供することを目的としている。
【０００５】
【課題を解決するための手段】
上記した目的を達成するために、本発明の塗膜転写具は、筐体の先端部に、塗膜を貼着した基材を該筐体外へ露出するための開口から突出して形成された転写案内部材にある塗膜を露出させ又は覆うため、可撓性のシート状部材でなり、筐体へ取り付けた部位の一方端部の取り付けを解除して開状態とされる蓋部材を備えたのである。このように、蓋部材を可撓性のシート状部材としたことにより、筐体先端の形状に応じて容易に変形して筐体外部に露出した塗膜をカバーすることができる。
【０００６】
【発明の実施の形態】
本発明の塗膜転写具は、塗膜を貼着した基材を巻き付けた供給回転体と、被転写物に塗膜を転写した後の基材を巻き取る回収回転体と、これら供給回転体と回収回転体とを収納する筐体とを有し、筐体の先端部には、塗膜を貼着した基材を該筐体外へ露出するための開口と、この開口から突出して設けられ、供給回転体から塗膜を貼着した基材を被転写物に案内すると共に、被転写物に転写した後の基材を回収回転体へと案内する転写案内部材と、可撓性のシート状部材でなり、筐体へ取り付けた部位の一方端部の取り付けを解除して開状態とされる蓋部材とを備えたものである。
【０００７】
上記の構成によれば、塗膜を貼着した基材としての、例えばポリエチレンテレフタレート製のフィルムは、その一端が筐体内の供給回転体に巻き取られ、他端が予め筐体内の回収回転体に取り付けられている。転写案内部材は、供給回転体と回収回転体との間で筐体先端部の開口から外部に突出して設けられた、例えばローラでなり、このローラの外表面に塗膜を貼着したフィルムの塗膜貼着面の裏面が密着している。塗膜転写具の使用時には、筐体を把持して被転写物に対してローラを押しつけることで、ローラが回転して、被転写物に塗膜を転写すると共に、供給回転体から順次塗膜を貼着したフィルムを案内して送出し、被転写物に転写して塗膜が剥離したフィルムを回収回転体へと案内する。
【０００８】
蓋部材は、例えば、ポリプロピレン、ポリエチレンテレフタレート、ナイロンといった可撓性の樹脂でシート状に成形しており、塗膜転写具の未使用時には、転写案内部材であるローラ及び筐体先端部の外形形状に沿って撓んで、その両端が係合された状態となっている。いま、この状態で、筐体外部に露出した塗膜の少なくとも転写面についてはカバーされていることとなる。また、両端が係合されているとは、例えば蓋部材の長尺方向の両端部に形成した係合孔に対して該係合孔に対応するように筐体先端部に形成された係合凸部が嵌合した状態をいう。
【０００９】
この状態から、使用時には、蓋部材の長尺方向の一方の係合を解除して、蓋部材を開状態として転写案内部材の塗膜が露出するようにすれば、上記したように塗膜転写具が使用可能となる。このように、蓋部材は、筐体先端部に一部が取り付けられた状態で開閉するように設けられているので失うことが無いと共に、可撓性のシート状としているので容易に変形して筐体の先端形状に対応させることができる。
【００１０】
また、本発明の塗膜転写具は、上記構成に加えて、蓋部材が、筐体の先端部に対する取り付け部位において供給回転体及び回収回転体の回転軸に対して直交した軸で枢支されたものであってもよく、又は、蓋部材が、筐体の先端部に対する取り付け部位において供給回転体及び回収回転体の回転軸に対して平行な軸で枢支されたものであってもよい。こうすることにより、蓋部材の一部を筐体に取り付けた状態で、蓋部材を枢支した軸を中心として塗膜転写具の使用時に邪魔にならない位置に該蓋部材を移動させることができる。
【００１１】
また、本発明の塗膜転写具は、上記構成のいずれかに加えて、蓋部材が、長尺方向両端部においてその短尺方向の両縁部から該短尺方向の中央部に向けて移動規制切欠を形成し、一方、筐体先端部に移動規制切欠が嵌まる凸段部を形成したものであってもよい。こうすることにより、塗膜転写具の使用時に開状態とされた蓋部材が無造作に移動することが無くなる。
【００１２】
【実施例】
以下、本発明の塗膜転写具の実施例を図１〜図７を参照して説明する。
図１及び図２は、請求項１に対応する塗膜転写具の概略構成を示す。図３は、請求項２に対応する塗膜転写具の概略構成を示す。図４は、請求項３に対応する塗膜転写具の概略構成を示す。図５は、請求項２に対応する塗膜転写具の使用状態を示す。図６は、請求項３に対応する塗膜転写具の使用状態を示す。図７は、請求項４に対応する塗膜転写具の概略構成を示す。
【００１３】
図１〜図７において塗膜転写具１は、塗膜Ｐを貼着した基材として、例えば厚さ１０〜４０ミクロンのポリエチレンテレフタレートでなるフィルムＦを巻き付けた供給回転体２と、被転写物に塗膜Ｐを転写した後のフィルムＦを巻き取る回収回転体３と、これら供給回転体２と回収回転体３などを収納する筐体４とを有し、筐体４の先端部には、塗膜Ｐを貼着したフィルムＦを該筐体４の外部へ露出するための開口４ａと、この開口４ａから突出して設けられ、供給回転体２から塗膜Ｐを貼着したフィルムＦを被転写物に案内すると共に、被転写物に転写した後のフィルムＦを回収回転体３へと案内する転写案内部材としての、例えばローラ５とを備えている。
【００１４】
供給回転体２には塗膜Ｐを貼着したフィルムＦの一端が取り付けられ、回収回転体３には該フィルムＦの他端が取り付けられている。さらに、供給回転体２と回収回転体３は、軸２ａと軸３ａでそれぞれが枢支されており、軸２ａには該軸２ａと同軸にて固定されたギヤ２ｂが、軸３ａには該軸３ａと同軸にて固定されたギヤ３ｂが、各々設けられている。これらギヤ２ｂとギヤ３ｂとは互いに噛合しており、後述する塗膜Ｐを貼着したフィルムＦの送出時に供給回転体２が回転すると、これに伴って回収回転体３が回転するようになっている。
【００１５】
筐体４は、塗膜Ｐを貼着したフィルムＦを巻き付けた供給回転体２（軸２ａ、ギヤ２ｂ）及び回収回転体３（軸３ａ、ギヤ３ｂ）を内包して、図１（ｂ）に示す状態で紙面上下方向に、幅方向の中央位置で分割した２個一対の各部材を各嵌合ピン（参照番号無）及び嵌合穴（参照番号無）で係合して一体としている。そして、筐体４の２個一対の各部材を係合することで、これらの部材でもって上記した軸２ａ、軸３ａが位置決めされて枢支されている。
【００１６】
また、筐体４の先端部に形成された開口４ａから突出して設けられたローラ５は、上記したように筐体４の２個一対の各部材を係合することで固定される保持部材５ａに枢支されている。なお、この筐体４の２個一対の各部材は、例えば各々がプラスチック製の一体成型品でなる。
【００１７】
次に、図１に示す請求項１に対応する塗膜転写具１について説明する。
請求項１に対応する塗膜転写具１は、上記構成において、筐体４の先端部に、ローラ５に案内される塗膜Ｐを露出させ又は覆うために、その一部が該筐体４に取り付けられた状態で開閉する可撓性のシート状部材でなる蓋部材６を、筐体４の先端部の図１（ｂ）に示す上下に各々形成した挿入孔４ｂ，４ｂに挿入して設けている。
【００１８】
すなわち、蓋部材６は、図１（ｃ）に示すように、例えば、厚さ０．１〜１mmのポリプロピレンでなる可撓性の樹脂でシート状に成形され、その長尺方向両端部に菱形形状の着脱部６ａが各々形成されている。なお、この着脱部６ａの菱形形状は、挿入口４ｂに対する挿入又は脱出を容易とするためのものである。
【００１９】
図１に示す請求項１に対応する塗膜転写具１は、使用時に下方の着脱部６ａを下方の挿入孔４ｂから脱出して蓋部材６を開状態とする。このとき蓋部材６は、若干の弾性復元力によって上方に跳ね上がりローラ５が露出した状態となる。
【００２０】
この後、筐体４を把持して被転写物に対してローラ５を押しつけて、筐体４の後端方向へと移動させると、ローラ５が塗膜Ｐを貼着したフィルムＦを送り、このフィルムＦの移動によって供給回転体２が回転して順次塗膜Ｐを貼着したフィルムＦを送り出すと共に、供給回転体２によって回収回転体３が回転して該回収回転体３が被転写物に塗膜Ｐを転写した後の剥離したフィルムＦを回収する。
【００２１】
使用後は、上記とは逆に蓋部材６の下方の着脱部６ａを下方の挿入孔４ｂに挿入して閉状態とする。こうすることで、ローラ５は蓋部材６の内側に収納され、意図しない被転写物に塗膜Ｐが貼り付くことが無く、また、ローラ５に位置する塗膜Ｐにごみや埃が付着することを防止できる。
【００２２】
一方、図２には、請求項１に対応する塗膜転写具１の他の構成例を示しており、この例では、筐体４の左右側面に挿入孔４ｂ，４ｂを形成し、これらの挿入孔４ｂ，４ｂに上記蓋部材６を横長にして用いた状態の着脱部６ａ，６ａを各々挿入又は脱出するようにしている。こうすることにより、上記と同等の作用効果を得ることができるうえに、左右どちらの方向でも蓋部材６の開閉が行える。
【００２３】
次に、図３に示す請求項２に対応する塗膜転写具１について説明する。
請求項２に対応する塗膜転写具１は、蓋部材１６が、筐体４の先端部に対する取り付け部位において供給回転体２及び回収回転体３の軸２ａ及び軸３ａに対して直交した軸１４で枢支されたものである。
【００２４】
すなわち、軸１４は、筐体４側において、図３（ｂ）に示す上下位置に形成されており、蓋部材１６は、長尺方向の両端部で短尺方向中央部位に該軸１４，１４に対応するスリット孔１６ａ，１６ａが各々形成され、閉状態ではこれら軸１４，１４とスリット孔１６ａ，１６ａとが各々係合している。そして、下方の軸１４と下方のスリット孔１６ａとの係合を解除して蓋部材１６が開状態となり、下方の軸１４と下方のスリット孔１６ａとを係合することで蓋部材１６が閉状態となる。
【００２５】
このようにすることにより、請求項２に対応する蓋部材１６は、図５に示すように軸１４を中心として３６０゜回転自在となり、蓋部材１６を筐体４に取り付けた状態で塗膜転写具１の使用時に邪魔にならない位置に退避させることができる。
【００２６】
次に、図４に示す請求項３に対応する塗膜転写具１について説明する。
請求項３に対応する塗膜転写具１は、蓋部材１６が、筐体４の先端部に対する取り付け部位において供給回転体２及び回収回転体３の軸２ａ及び軸３ａに対して平行な軸２４で枢支されたものである。
【００２７】
すなわち、軸２４は、筐体４側において、図４（ｂ）に示す左右側面位置に形成されており、蓋部材１６は、上記請求項２に対応する図３（ｃ）に示したものを図４（ｃ）に示すように横長にして用いる。そして、軸２４，２４のいずれか一方に対応するスリット孔１６ａとの係合を解除して蓋部材１６が開状態となり、該軸２４とスリット孔１６ａとを係合することで蓋部材１６が閉状態となる。
【００２８】
このようにすることにより、請求項３に対応する蓋部材１６は、図６に示すように軸２４を中心として３６０゜回転自在となり、蓋部材１６を筐体４に取り付けた状態で塗膜転写具１の使用時に邪魔にならない位置に退避させることができると共に、筐体４の左右側面のどちらでも蓋部材６の開閉を行うことができる。
【００２９】
次に、図７に示す請求項４に対応する塗膜転写具１について説明する。
請求項４に対応する塗膜転写具１は、上記請求項１〜３に対応する図１〜図４に示す構成のいずれかにおいて、まず、蓋部材２６に、長尺方向両端部においてその短尺方向の両縁部から該短尺方向の中央部に向けて移動規制切欠２６ａを形成し、一方、筐体４の先端部に、移動規制切欠２６ａが嵌まる凸段部４ｃを形成している。なお、図７には、請求項２に請求項４を採用した態様を示しており、従って、蓋部材２６は、凸段部４ｃ間の中央部で筐体４側に形成された軸１４により枢支された状態となっている。
【００３０】
すなわち、請求項４に対応する塗膜転写具１は、蓋部材２６の移動規制切欠２６ａが凸段部４ｃ間に嵌まることにより、図７（ｄ）の２点鎖線で示すように９０゜ごとに蓋部材２６の移動が制限される。これにより、塗膜転写具１の使用時に開状態とされた蓋部材２６が無造作に移動することが無くなる。
【００３１】
なお、図７には、請求項２に請求項４を採用した態様を示しているが、請求項３に請求項４を採用した態様においては、凸段部４ｃを筐体４の左右側面位置に形成して蓋部材２６を横長にして用いればよい。
【００３２】
また、請求項１において請求項４を採用した態様としては、凸段部４ｃを筐体４の内側に形成し、かつ挿入孔４ｂの形状については、筐体４の凸段部４ｃを形成した周囲において正面位置から９０゜ずつ左右に開いた円弧状の切欠とし、この切欠に沿って蓋部材６が移動するように構成すればよい。そして、この凸段部４ｃ間の中心位置に着脱部６ａの菱形形状の中心を位置させ、該菱形形状の４つの斜辺が凸段部４ｃの対向する内側面で規制される。
【００３３】
なお、本発明の塗膜転写具１は、以上の実施例に限定されず、種々の変形が可能であり、例えば蓋部材６，１６，２６の材質は、上記ではポリプロピレン製のものを示したが、可撓性のシート状であれば例えば、ポリエチレンテレフタレート製やナイロン製のものを用いてもよく、その場合には、厚みが０．１mm〜１mmとすれば、筐体４の先端形状に沿って容易に撓み、上記と同等の作用効果を得ることができる。また、上記実施例で使用したフィルムＦは、ポリエチレンテレフタレートに代えてポリプロピレン製としてもよく、さらに、紙をベースとした、厚さ２０〜４０ミクロンのコンデンサー紙やグラシン紙としてもよい。
【００３４】
さらに、上記した実施例では、図１、図３、図７に示した塗膜転写具１の蓋部材６，１６，２６は、開状態では蓋部材の６，１６，２６の下方端部と筐体４の下方との係合が解除されるので、蓋部材の６，１６，２６の上方における筐体４との係合構造は、取り外しが可能な係合構造でなくてもよく、また、図３及び図７に示したものにおいては、蓋部材１６，２６の上方の係合について少なくとも回動するように枢支されていればよい。また、塗膜転写具１のローラ５を舌状の部材に変更したり、その他細部の形状、寸法などについては適宜設計を変更しても上記と同等の作用効果を得ることができる。
【００３５】
このように、本発明の塗膜転写具１は、可撓性のシート状とした蓋部材６，１６，２６が、筐体４の先端部に一部を取り付けた状態で開閉するので、塗膜転写具１の使用時に蓋部材６，１６，２６を開状態としても失うことが無いと共に、安価に製作でき、さらに、容易に変形して筐体４の先端形状に汎用的に対応させることができ、確実にローラ５をカバーすることができる。
【００３６】
【発明の効果】
以上説明したように、本発明の請求項１に対応する塗膜転写具は、筐体の先端部に、塗膜を貼着した基材を該筐体外へ露出するための開口から突出して形成された転写案内部材にある塗膜を露出させ又は覆うために、可撓性のシート状部材でなり、筐体へ取り付けた部位の一方端部の取り付けを解除して開状態とされる蓋部材を備えたので、筐体先端の形状に応じて容易に蓋部材が変形して筐体外部に露出した塗膜をカバーすることができ、従って汎用的に使用することも可能であり、また、蓋部材を開状態としても失うことが無く、製造コストを抑えることができる。
【００３７】
また、本発明の請求項２又は請求項３に対応する塗膜転写具は、上記請求項１の構成において、蓋部材を、筐体先端部に対する取り付け部位において供給回転体及び回収回転体の回転軸に対して直交した軸で枢支した、又は、蓋部材を、筐体先端部に対する取り付け部位において供給回転体及び回収回転体の回転軸に対して平行な軸で枢支したので、上記効果に加えて、蓋部材の一部を筐体に取り付けた状態で、該蓋部材を枢支した軸を中心として塗膜転写具の使用時に邪魔にならない位置に移動させることができる。
【００３８】
また、本発明の請求項４に対応する塗膜転写具は、上記請求項１乃至４のいずれかに加えて、蓋部材には、長尺方向両端部においてその短尺方向の両縁部から該短尺方向の中央部に向けて移動規制切欠を形成し、一方、筐体先端部には、移動規制切欠が嵌まる凸段部を形成したので、上記効果に加えて、塗膜転写具の使用時に開状態とされた蓋部材が無造作に移動することが無くなる。
【図面の簡単な説明】
【図１】本発明の請求項１に対応する塗膜転写具の概略構成を示し、（ａ）は筐体の中央縦断面で分割した一方側を示す図、（ｂ）は正面図、（ｃ）は蓋部材の正面図である。
【図２】本発明の請求項１に対応する塗膜転写具の他の概略構成を示し、（ａ）は筐体の中央縦断面で分割した一方側を示す図、（ｂ）は正面図、（ｃ）は蓋部材の正面図である。
【図３】本発明の請求項２に対応する塗膜転写具の概略構成を示し、（ａ）は筐体の中央縦断面で分割した一方側を示す図、（ｂ）は正面図、（ｃ）は蓋部材の正面図である。
【図４】本発明の請求項３に対応する塗膜転写具の概略構成を示し、（ａ）は筐体の中央縦断面で分割した一方側を示す図、（ｂ）は正面図、（ｃ）は蓋部材の正面図である。
【図５】本発明の請求項２に対応する塗膜転写具における蓋部材の開状態を示す平面図である。
【図６】本発明の請求項３に対応する塗膜転写具における蓋部材の開状態を示す筐体の中央縦断面で分割した一方側の図である。
【図７】本発明の請求項４に対応する塗膜転写具の概略構成を示し、（ａ）は筐体の中央縦断面で分割した一方側を示す図、（ｂ）は正面図、（ｃ）は蓋部材の正面図、（ｄ）は蓋部材と筐体との係合構造を示す斜視図である。
【符号の説明】
１      塗膜転写具
２      供給回転体
３      回収回転体
４      筐体
４ａ    開口
４ｂ    挿入孔
４ｃ    凸段部
５      ローラ（転写案内部材）
６      蓋部材
１４    軸
１６    蓋部材
１６ａ  スリット孔
２４    軸
２６    蓋部材
２６ａ  移動規制切欠
【図１】
0003673627.tif 000002
【図２】
0003673627.tif 000003
【図３】
0003673627.tif 000004
【図４】
0003673627.tif 000005
【図５】
0003673627.tif 000006
【図６】
0003673627.tif 000007
【図７】
0003673627.tif 000008